(57)【要約】【課題】基板の後側にも光を照射し、天井側の暗い部分を小さくすることができる直管形ＬＥＤランプの提供である。【解決手段】複数のＬＥＤと、該複数のＬＥＤを搭載したＬＥＤ基板と、前記ＬＥＤ基板を複数枚設けているヒートシンクと、前記ＬＥＤ基板と前記ヒートシンクとを収容する円筒形状のランプカバーと、前記ランプカバーの長手方向両端部に取り付けられている口金と、を備えた直管形ＬＥＤランプにおいて、上記複数枚のＬＥＤ基板のうちの少なくとも２枚の基板は、一方の基板が他方の基板に対し角度を有するように、かつ該２枚の基板のそれぞれの端部と前記ランプカバーとの間に空間を有するよう設ける。【選択図】  図１
2014175275.tif 000002
【特許請求の範囲】
【請求項１】
複数のＬＥＤと、該複数のＬＥＤを搭載したＬＥＤ基板と、前記ＬＥＤ基板を複数枚設けているヒートシンクと、前記ＬＥＤ基板と前記ヒートシンクとを収容する円筒形状のランプカバーと、前記ランプカバーの長手方向両端部に取り付けられている口金と、を備えた直管形ＬＥＤランプにおいて、
上記複数枚のＬＥＤ基板のうちの少なくとも２枚の基板は、一方の基板が他方の基板に対し角度を有するように、かつ該２枚の基板のそれぞれの端部と前記ランプカバーとの間に空間を有するよう設けることを特徴とする直管形ＬＥＤランプ。
【請求項２】
前記ＬＥＤ基板は、前記ランプカバーの内部を軸方向に見た状態において、該ランプカバーの内部空間を直径に沿う線で二分した一方の半円領域内に配置されている、請求項１に記載の直管形ＬＥＤランプ。
【請求項３】
前記ＬＥＤ基板は、前記一方の半円領域に対して他方となる半円領域に上記発光素子（ＬＥＤ）の搭載面を向けるように設置されている、請求項２に記載の直管形ＬＥＤランプ。
【請求項４】
前記搭載面の背面には、ヒートシンクが設けられている請求項３に記載の直管形ＬＥＤランプ。
【発明の詳細な説明】
【技術分野】
【０００１】
本発明は、直管形ＬＥＤランプに関する。
【背景技術】
【０００２】
直線状管体を供えた照明装置としては、従来から直管形蛍光ランプが知られているが、長寿命化、省エネルギー化の観点から、ＬＥＤ（Light Emitting Diode）等の発光素子が直線状管体に収められた直管形ＬＥＤランプが提案されている（特許文献１参照）。また、透光性の円筒状に成形されたカバー内部に発光素子（ＬＥＤ）を実装した基板を配置した直管形ＬＥＤランプが提案されている（特許文献２参照）。
【０００３】
直管形蛍光ランプに比べて直管形ＬＥＤランプが長寿命化、省エネルギー化を図ることができる一方で、直管形蛍光ランプは３６０度の全範囲を照らすことができるのに対し、ＬＥＤ光源には強い指向性があるために直管形ＬＥＤランプでは全方位を照らすことができず、天井側が暗くなる恐れがあった。複数の発光素子（ＬＥＤ）を搭載した２枚組の基板を、それらを収容する透光性の円筒状ランプカバーの軸方向（紙面を貫く方向）に見た状態において、断面扇状の形をなすように設置することにより、できる限り均一に光を照射する技術が開示されている。（特許文献３参照）
【先行技術文献】
【特許文献】
【０００４】
【特許文献１】特開２０１１−１０８３７８号公報
【特許文献２】特開２０１１−２９０５１号公報
【特許文献３】特開２０１２−１６４５４１号公報
【発明の概要】
【発明が解決しようとする課題】
【０００５】
特許文献３に記載の直管形ＬＥＤランプでは、断面扇状の形をなすように設置された２枚組の基板の後側（天井側）には光が照射することができず、影ができ、暗い部分ができる恐れがある。
【０００６】
本発明の目的は、基板の後側にも光を照射し、天井側の暗い部分を小さくすることができる直管形ＬＥＤランプを提供することである。
【課題を解決するための手段】
【０００７】
本発明において、上記を解決するために、複数のＬＥＤと、該複数のＬＥＤを搭載したＬＥＤ基板と、前記ＬＥＤ基板を複数枚設けているヒートシンクと、前記ＬＥＤ基板と前記ヒートシンクとを収容する円筒形状のランプカバーと、前記ランプカバーの長手方向両端部に取り付けられている口金と、を備えた直管形ＬＥＤランプにおいて、上記複数枚のＬＥＤ基板のうちの少なくとも２枚の基板は、一方の基板が他方の基板に対し角度を有するように、かつ該２枚の基板のそれぞれの端部と前記ランプカバーとの間に空間を有するよう設けることを特徴とする。
【発明の効果】
【０００８】
本発明によれば、基板の後側にも光を照射し、天井側の暗い部分を小さくすることができる直管形ＬＥＤランプを提供することができる。
【図面の簡単な説明】
【０００９】
【図１】直管形ＬＥＤランプ１の全体斜視図
【図２】直管形ＬＥＤランプ１の分解斜視図
【図３】直管形ＬＥＤランプ１の分解斜視図
【図４】直管形ＬＥＤランプ１の透過斜視図
【図５】直管形ＬＥＤランプ１の軸方向断面図
【図６】図５の別実施例における直管形ＬＥＤランプ１の軸方向断面図
【図７】図５の別実施例における直管形ＬＥＤランプ１の軸方向断面図
【発明を実施するための形態】
【００１０】
次に、本発明の実施例について、図面を参照しながら詳細に説明する。なお、各図において、共通する部分には同一の符号を付し重複した説明を省略する。なお、本文中や図中における上側は天井側を指し、下側（後側）は天井側とは反対側を指す。
【００１１】
図１〜５は、本実施例にかかる直管形ＬＥＤランプ１を示している。図１は、直管形ＬＥＤランプ１の全体斜視図である。図２、図３は直管形ＬＥＤランプ１の分解斜視図である。図４は、直管形ＬＥＤランプ１の透過斜視図である。本実施例の直管形ＬＥＤランプ１は複数の発光素子（ＬＥＤ）２を搭載した２枚のＬＥＤ基板３、ヒートシンク４、ランプカバー５、および口金６と、支柱７と、を備えている。直管形ＬＥＤランプ１は、全体として細長円筒状に形成されている。
【００１２】
ＬＥＤ基板３は、例えばガラスエポキシ樹脂製であり、ランプカバー５の内部にランプカバー５の軸方向（長手方向）に沿って挿入可能な長矩形状を呈している。図５に示すように、２枚のＬＥＤ基板３は、ランプカバーの内部をランプカバー５の軸方向（長手方向）から見た場合、このランプカバー５の内部空間に、略三角形の形をなすように収容されている。つまり、２枚のＬＥＤ基板３は、ランプカバー５の内部空間に設けられており、かつ２枚のＬＥＤ基板３のうちの一方が他方に対して角度を有するように設けられている。本実施例では、この角度が略直角である。長矩形状の２枚のＬＥＤ基板３は、２枚のＬＥＤ基板３における一方の長辺側端部同士が隣接するように設けられている。また、ＬＥＤ基板３は、ＬＥＤ基板３の他方の長辺側端部とランプカバー５との間に空間１０を有するように設けられている。２枚のＬＥＤ基板３は、ランプカバー５の内部空間を直径に沿う線（図５に仮想線で示す直線）で上下に二部した場合、上側の半円領域に概ね設け、ＬＥＤ基板３に搭載されたＬＥＤ２は、ランプカバー５側を向くように設ける。以上より、各ＬＥＤ基板３から射出した光は、様々な方向に向かって照射する。例えば、ランプカバー５の内部空間からランプカバー５を透過してランプカバー５の外側かつ下方へと進むよう照射する光や、ランプカバー５で反射しＬＥＤ基板３の後側である上方に進むよう照射する光や、ランプカバー５を導光しＬＥＤ基板３の後側である上方に進むよう照射する光などが考えられる。２枚のＬＥＤ基板３が角度を有して交差するように設けることにより、下側だけでなく上方向への光の照射を行うことができるという効果を奏する。空間１０を有するように設けられることにより、上方向への光の照射が基板により遮られることがなくなり、上方向への光の照射の量が増すという効果を奏する。２枚のＬＥＤ基板３がランプカバー５の内部空間において半分よりも上に位置することにより、上方向への光の照射の量が増すという効果を奏する。２枚のＬＥＤ基板３を、角度を有して交差するように、かつランプカバー５の内部空間において半分よりも上に位置するように、することで、上方向への光の照射量を増すことができるという効果を奏する。
【００１３】
ＬＥＤ基板３の背面にはヒートシンク４が設けられている。このヒートシンク４は、２枚組のＬＥＤ基板３に囲まれた空間に配置されている。ヒートシンク４は、例えばアルミ製であり、三角柱の形状をしている。ヒートシンク４における３つの辺のうちの２つには、２枚のＬＥＤ基板３がそれぞれ載置される。本実施形態に置いては、ＬＥＤ基板３とヒートシンク４とは接着剤にて接着されているが、この限りでない。ヒートシンク４は、ＬＥＤ基板３を保持しＬＥＤ基板３からの熱を拡散させる効果を奏すればよいため、ヒートシンク４にＬＥＤ基板３の保持部を設けてもよいし、２枚のＬＥＤ基板３と一体化されていてもよい。  ランプカバー５は、例えばポリカーボネート樹脂製であり、押し出し成形によって細長の円筒形状に形成されている。ランプカバー５の軸方向（長手方向）の両端部は開口しており、ランプカバー５の両端部は連通し内部空間を有する円筒形状となっている。このランプカバー５は、２枚のＬＥＤ基板３を保護し、透光性を有するものであればよい。そのため、透光性を有していれば、ランプカバー５は透明でも良いし、乳白色でも良い。また、ランプカバー５を乳白色にする、あるいは光拡散材を入れることで、各ＬＥＤ基板３からの光を拡散させる効果を奏する。
【００１４】
口金６は、一般蛍光灯照明器具の差込口に嵌合される部分であり、直管形ＬＥＤランプ１を保持するための端子ピン８を備えている。口金６はランプカバー５の軸方向（長手方向）の両端部に取り付けられており、２枚組のＬＥＤ基板３と一体化されているヒートシンク４に接して、これを位置決め固定するためのリブ９が一体的に設けられている。
【００１５】
支柱７は、１１０形ランプのようなヒートシンク４の長手方向の寸法が長いものに関して、たわみ防止の効果を奏する。支柱７は、ヒートシンク４とランプカバー５とを接続する機能を有していれば良く、ヒートシンク４、またはランプカバー５と一体物であってもよいし、別部品であってもよい。ここで、支柱７がランプカバー５と一体物となるよう樹脂で成形する場合には、支柱７においても光の透過を可能にして天井側への照射の増加の効果を奏する。また、ランプカバー５の軸方向に見た状態での支柱７の幅は、細くなる程、図２で示すように、光の進入する空間１２を多く確保できるため、ＬＥＤ基板３の後側への光の照射の増加が期待できる。
【００１６】
また、図６に示すように支柱７の幅を太くすると、ヒートシンク４を支える強度は増すという効果を奏する。
【００１７】
また、図７に示すように４０形ランプおよび２０形ランプのようなヒートシンク４の長手方向の寸法が短いものに関しては、図４で示すように支柱７を設けてなくても良い。この場合のヒートシンク４の固定は口金６のリブ９で行われる。支柱７を設けてない場合には、空間１２のほかに光の進入する空間１１を確保できるため、天井側への照射の増加が期待できる。
【００１８】
次に、本実施例の直管形ＬＥＤランプ１の作用について説明する。
【００１９】
この直管形ＬＥＤランプ１において、例えば図２に示す右側のＬＥＤ基板３からの光は、ランプカバー５の内部から右側下方および右側基板の後側へと進行し、さらにランプカバー５の周部を透過して右側下方におよび右側基板側に照射される。一方、図２に示す左側のＬＥＤ基板３からの光は、ランプカバーの内部から左側下方および左側基板の後側と進行し、さらにランプカバー５の周部を透過して左側下方および左側基板に照射される。
【００２０】
例えば、上側の半円領域を天井側とした姿勢で直管形ＬＥＤランプ１を照明器具に取り付けた場合、天井側から下方の室内空間に向けて広範囲に光が照射される。
【００２１】
したがって、本実施例の直管形ＬＥＤランプ１によれば、一つひとつの発光素子（ＬＥＤ）２に光の指向性があっても、天井側から下方の室内空間に向けて広範囲に光が照射されるため、天井側の暗い部分を小さくすることができる。
【００２２】
本発明にかかる直管形ＬＥＤランプ１の各部具体的な構成は、種々に設計変更自在である。例えば、ランプカバー５は、ヒートシンク４に近接する部分に開口を有するものとし、ヒートシンク４の一部をランプカバー５から露出させるようにしてもよい。
【００２３】
ＬＥＤ基板３およびヒートシンク４は、互いに接合されたものとしてもよい。直管形ＬＥＤランプ１におけるＬＥＤ基板３は、少なくとも２枚の基板が略三角形状に設けられればよく、２枚に限るものではない。複数枚のＬＥＤ基板が設けられていてもよい。
【００２４】
ランプカバー５の内部空間には、ＬＥＤ基板からの光を外方へと拡散させるような導光体を設けてもよい。
【符号の説明】
【００２５】
１  直管形ＬＥＤランプ
２  発光素子（ＬＥＤ）
３  ＬＥＤ基板
４  ヒートシンク
５  ランプカバー
６  口金
７  支柱
８  端子ピン
９  リブ
１０、１１、１２  空間
【図１】
2014175275.tif 000003
【図２】
2014175275.tif 000004
【図３】
2014175275.tif 000005
【図４】
2014175275.tif 000006
【図５】
2014175275.tif 000007
【図６】
2014175275.tif 000008
【図７】
2014175275.tif 000009